(57)【特許請求の範囲】
【請求項１】
元竿に取り付けられる元竿尻栓と元上に取り付けられる元上尻栓を有し、元上尻栓は元上に固定するための元上固定部と該元上固定部に対して回転可能に取り付けられた回転部を有し、
元上を元竿内に収納した際に前記回転体が元竿尻栓に備えられた元上尻栓係止部に係止される
ことを特徴とする尻栓構造。
【発明の詳細な説明】
【０００１】
【発明の属する技術分野】
本発明は釣竿の尻栓構造に関するものである。
【０００２】
【従来の技術】
図７及び図８は径の異なる複数の竿素材を手元の元竿にしまい込む振り出し竿（引き伸ばし竿）を示した図である。図中(6)は手元に位置する最も径の大きな元竿であり、(7)は元竿(6)より径が小さい元上、(8)は先端に位置する径の最も小さな穂先である。元竿(6)の手元側端部には収納した竿素材が元竿(6)から抜け落ちないように、更には竿端の保護や竿内への水浸入防止等のために、元竿尻栓(15)が着脱可能な状態で取り付けられている。
【０００３】
このような振り出し竿では、伸ばす際には穂先側から順に引き出し、収納する際には元竿に近い方から順にしまっていく。図７は元上(7)は元竿(6)に収納された状態であるが、図８は元上(7)が元竿(6)から引き出された状態を示している。(10)は元上(7)の手元側端部に取り付けられた元上尻栓である。
【０００４】
図６は従来の尻栓構造を示した図である。元上(7)の手元側端部には一体型元上尻栓(10)が螺着されている。竿を縮めて元上(7)を元竿(6)に収納した際には元上尻栓(10)の突出部周囲に設けられた係止部(10a)が元竿尻栓(15)内側に設けられた係止部(15a)と係合する。これにより元上(7)が元竿(6)に収納された状態で固定される。
【０００５】
ところで、このような振り出し竿は常に伸ばしきった状態で使用するとは限らず、釣った魚の取り込み時に竿を縮めて行くことがあり、また釣り場の環境等によって竿をある程度縮めた状態で釣ることもある。
【０００６】
また、鮎釣り等では元竿尻栓(15)を腰，腹等に当てて固定して使用するような場合があり、このときに魚の移動や竿の操作等により元竿(6)は固定状態となっているのに対して元上(7)が回転しようとする。
【０００７】
しかしながら、元上(7)が元竿(6)に収納された状態では元竿尻栓(15)元上尻栓(10)とは係止した状態であるので、元竿(6)と元上(7)とを相対的に回転すると、元上尻栓(10)が元竿(6)と共に回転する。すると、元上(7)に螺着されている元上尻栓(10)の取り付けが緩んで元上(7)から外れてしまうことがある。元上尻栓(10)が外れると元上(7)を元竿(6)内に係止しておくことができなくなる。
【０００８】
外れた元上尻栓(10)を付け直すには、元竿尻栓(15)を取り外して元上(7)の手元側端部を引き出して作業しなければならず面倒である。
【０００９】
【発明が解決しようとする課題】
そこで、元上を元竿に収納した状態で元上が元竿に対して回転しても、元上尻栓が緩んだり外れたりすることが無い尻栓構造が求められている。
【００１０】
【課題を解決するための手段】
本発明の尻栓構造は、元竿(6)に取り付けられる元竿尻栓(5)と元上(7)に取り付けられる元上尻栓(A)を有し、元上尻栓(A)は元上(7)に固定するための元上固定部(1)と該元上固定部(1)に対して回転可能に取り付けられた回転部(2)を有し、元上(7)を元竿(6)内に収納した際に前記回転体(2)が元竿尻栓(5)に備えられた元上尻栓係止部(4)に係止されることを特徴とする。
【００１１】
これによれば、元上尻栓(A)の元竿尻栓(4),(5)に係止される回転部(2)は元上(7)に固定される部分(1)とは関係なく自由に回転することができるので、元上(7)と元竿(6)とが相対的に回転しても元上尻栓(A)は回転部(2)のみが回転し、元上(7)に固定される部分(1)は元上(7)に対して回転しない。したがって、元上尻栓(A)の取り付けが緩んで元上(7)から外れてしまうようなことがなくなる。
【００１２】
【発明の実施の形態】
以下、本発明を好適な実施例を用いて説明する。
［実施例］
図１は実施例に用いる元上尻栓(A)の部品構成を示した図であり、図２はそれを組み立てて元上尻栓とした状態を示した図である。また、図３はこの元上尻栓の部品の係合状態を示した図である。
【００１３】
図中(1)は元上尻栓(A)を元上に取り付けるための元上固定部であり、元上の端部のネジ溝に対応したネジ部が設けられている。(2)は回転体であり、回転体取り付けネジ(3)により元上固定部(1)に取り付けられている。
【００１４】
回転体取り付けネジ(3)は回転体(2)を貫通して元上固定部(1)に螺着されているが、その状態でも回転体(2)は回転することができる。尚、回転体(2)の取り付けは元上固定部(1)に対して回転可能に取り付けられればよく、必ずしも本実施例のように、回転体取り付けネジ(3)により取り付ける場合に限定されない。一例を挙げれば図示しないが元上固定部(1)に係合孔を形成し、この係合孔に回転可能に回転体(2)の突部をはめ殺しにて取り付けるようにしてもよい。
【００１５】
図４及び図５は実施例の尻栓構造を示した図であり、図４は元竿尻栓(5)と元上尻栓(A)が離れた状態を、図５は元竿尻栓(5)に元上尻栓(A)が差し込まれた状態を示している。元上尻栓(A)は元上固定部(1)を螺入することにより元上(7)の端部に取り付けられている。
【００１６】
元竿(6)には元竿尻栓(5)が取り付けられており、元竿尻栓(5)の内側には元竿尻栓係止部(4)が接着されている。尚、この元竿尻栓係止部(4)は元竿尻栓(5)と一体に成形したものであってもよい。
【００１７】
元上(7)を元竿(6)にしまい込むと、元上尻栓(A)が元竿尻栓(5)の内側に差し込まれ、回転部(2)の周囲に設けられた凹溝(2a)に元竿尻栓係止部(4)に設けられた凸部(4a)が嵌まり込む。勿論、前記凹凸は逆でもよい。
元竿(6)と元上(7)とが相対的に回転した場合、元竿尻栓係止部(4)に係止されている元上尻栓(A)の回転部(2)は元竿尻栓(5)と共に（すなわち元竿(6)と共に）回転する。
【００１８】
回転部(2)は元上固定部(1)に対して回転可能に取り付けられているので、元上固定部(1)は回転部(2)が回転しても回転することはない。そのため、元上固定部(1)の取り付けが緩んで元上(7)から外れることはない。このことはいずれの方向に回転した場合も同様である。
【００１９】
元上(7)を引き出して竿を伸ばす際には、元上(7)を引き出し方向に引っ張ると回転部(2)と元竿尻栓係止部(4)との係合が外れて引き出すことができる。
【００２０】
【発明の効果】
以上述べたように本発明により、元上を元竿に収納した状態で元上が元竿に対して回転しても、元上尻栓が緩んだり外れたりすることが無い尻栓構造を提供することができた。
【図面の簡単な説明】
【図１】実施例に用いる元上尻栓の部品構成を示した図。
【図２】実施例に用いる元上尻栓を示した図。
【図３】元上尻栓の部品の係合状態を示した図。
【図４】実施例の尻栓構造を示した図（元竿尻栓と元上尻栓が離れた状態）。
【図５】実施例の尻栓構造を示した図（元竿尻栓に元上尻栓が差し込まれた状態）。
【図６】従来の尻栓構造を示した図。
【図７】振り出し竿を示した図（元上が収納された状態）。
【図８】振り出し竿を示した図（元上が伸ばされた状態）。
【符号の説明】
(A) 元上尻栓
(1) 元上固定部（元上尻栓の元上取り付け用ネジ部）
(2) 回転体
(3) 回転体取り付けネジ
(4) 元竿尻栓係止部（差し込み部）
(5) 元竿尻栓
(6) 元竿
(7) 元上
【図１】
0003897906.tif 000002
【図２】
0003897906.tif 000003
【図３】
0003897906.tif 000004
【図４】
0003897906.tif 000005
【図５】
0003897906.tif 000006
【図６】
0003897906.tif 000007
【図７】
0003897906.tif 000008
【図８】
0003897906.tif 000009